(57)【要約】【課題】  簡単に、編集用の動画に対応した、編集対象の動画を見つけることができるようにする。【解決手段】  記録装置は、第１の動画データと、前記第１の動画データよりも画素数が少ない第２の動画データを生成する生成手段と、前記生成手段により生成された動画データを出力する出力手段と、前記生成手段により生成された動画データを複数の記録媒体に記録する記録手段と、前記出力手段により前記第１の動画データを出力しながら、前記記録手段により前記複数の記録媒体に前記第２の動画データを記録する場合に、前記複数の記録媒体に記録される前記第２の動画データのために同じ値の識別情報を生成し、生成した識別情報を前記出力手段により動画データに多重して出力するように前記出力手段を制御する制御手段とを備える。【選択図】  図１
2014036402.tif 000002
【特許請求の範囲】
【請求項１】
第１の動画データと、前記第１の動画データよりも画素数が少ない第２の動画データを生成する生成手段と、
前記生成手段により生成された動画データを出力する出力手段と、
前記生成手段により生成された動画データを複数の記録媒体に記録する記録手段と、
前記出力手段により前記第１の動画データを出力しながら、前記記録手段により前記複数の記録媒体に前記第２の動画データを記録する場合に、前記複数の記録媒体に記録される前記第２の動画データのために同じ値の識別情報を生成し、生成した識別情報を前記出力手段により動画データに多重して出力するように前記出力手段を制御する制御手段とを備える記録装置。
【請求項２】
前記記録手段は、前記第２の動画データを動画ファイルとして前記記録媒体に記録し、前記制御手段は、前記第２の動画データを含む動画ファイルのファイル名を前記識別情報として出力するように、前記出力手段を制御することを特徴とする請求項１に記載の記録装置。
【請求項３】
前記ファイル名は番号を含み、前記記録手段は、新たに動画ファイルを記録する場合に、前記記録媒体に記録された動画ファイルのファイル名に含まれる番号のうち、もっとも大きな番号に所定値を加えた値を、前記新たに記録する動画ファイルのファイル名に含まれる番号とすることを特徴とする請求項２に記載の記録装置。
【請求項４】
前記制御手段は、前記出力手段により前記第１の動画データを出力しながら、前記記録手段により前記複数の記録媒体に対して前記第２の動画データを記録する場合に、前記記録媒体に記録された動画ファイルのファイル名に含まれる番号のうち、もっとも大きな番号に所定値を加えた値を含むファイル名を生成し、前記生成したファイル名を前記第２の動画データを含む動画ファイルのファイル名として記録するように前記記録手段を制御するとともに、前記生成したファイル名を前記識別情報として出力するように前記出力手段を制御することを特徴とする請求項３に記載の記録装置。
【請求項５】
前記記録手段は、前記第２の動画データを動画ファイルとして前記記録媒体に記録し、前記制御手段は、記録中の動画ファイルのサイズが閾値に達した場合、記録中のファイルをクローズして新たに動画ファイルを作成し、前記第２の動画データの記録を続けるように前記記録手段を制御するとともに、記録開始の指示から記録停止の間に作成された１以上の前記動画ファイルそれぞれに前記識別情報を付加することを特徴とする請求項１に記載の記録装置。
【請求項６】
前記制御手段は、前記記録開始の指示から記録停止の指示の間に作成された１以上の前記動画ファイルそれぞれに同じ値の前記識別情報を付加することを特徴とする請求項５に記載の記録装置。
【請求項７】
前記制御手段は、記録開始の指示に応じて前記第２の動画データの記録を開始するように前記記録手段を制御し、前記記録開始の指示に応じて、前記識別情報の出力を開始するように前記出力手段を制御することを特徴とする請求項１から６の何れか１項に記載の記録装置。
【請求項８】
前記制御手段は、前記出力手段から出力される動画データの複数のフレームのそれぞれに対して前記識別情報を付加して出力するように、前記出力手段を制御することを特徴とする請求項１から７の何れか１項に記載の記録装置。
【発明の詳細な説明】
【技術分野】
【０００１】
本発明は記録装置に関する。
【背景技術】
【０００２】
従来、動画像の分割、結合等の編集を行う場合、編集対象の動画よりも画素数やフレームレートなど情報量が小さい編集用の動画を用意し、この編集用の動画を用いて編集点を決めた後、この編集点に基づいて編集対象の動画を編集することが行われている（例えば、特許文献１参照）。編集用の動画はプロキシとも呼ばれる。
【先行技術文献】
【特許文献】
【０００３】
【特許文献１】特開２００３−６１０４１
【発明の概要】
【発明が解決しようとする課題】
【０００４】
プロキシを作成する場合、編集対象の元の動画を一旦復号し、画面サイズを縮小するなどの処理を施した後に、再度圧縮、符号化の処理を行う。そのため、プロキシを作成するために大変な時間がかかってしまう。
【０００５】
更に、複数の記録媒体に同時に動画を記録しておき、各記録媒体を別々の編集システムで編集することも考えられるが、この場合も、やはり、それぞれの編集システムにおいてプロキシを作成する必要があり、大変な時間と手間がかかっていた。
【０００６】
そのため、動画の記録時に、プロキシを同時に作成し、動画とは別の記録媒体に記録しておき、この記録媒体に記録されたプロキシを編集装置にて編集する構成が考えられる。しかしながら、その場合、編集用の動画に対応した、編集対象の動画を見つけるのが難しいという問題があった。
【０００７】
本発明はこの様な問題を解決し、簡単に、編集用の動画に対応した、編集対象の動画を見つけることができるようにすることを目的とする。
【課題を解決するための手段】
【０００８】
本発明の記録装置は、第１の動画データと、前記第１の動画データよりも画素数が少ない第２の動画データを生成する生成手段と、前記生成手段により生成された動画データを出力する出力手段と、前記生成手段により生成された動画データを複数の記録媒体に記録する記録手段と、前記出力手段により前記第１の動画データを出力しながら、前記記録手段により前記複数の記録媒体に前記第２の動画データを記録する場合に、前記複数の記録媒体に記録される前記第２の動画データのために同じ値の識別情報を生成し、生成した識別情報を前記出力手段により動画データに多重して出力するように前記出力手段を制御する制御手段とを備える。
【発明の効果】
【０００９】
本発明によれば、簡単に、編集用の動画に対応した、編集対象の動画を見つけることができるようになる。
【図面の簡単な説明】
【００１０】
【図１】実施形態の記録装置の構成示す図である。
【図２】外部の記録装置の構成を示す図である。
【図３】外部出力モードにおける動作を示すフローチャートである。
【図４】記録媒体に記録される動画ファイルに付加されるファイル番号を示す図である。
【図５】出力されるＳＤＩフォーマットの動画の構成と、動画に多重されるコマンド及び識別情報の位置を示す図である。
【図６】出力される動画データのフィーマットを示す図である。
【図７】出力される動画データとＳＤＩフォーマット及び、出力チャンネル数の関係を示す図である。
【図８】外部の記録装置による記録動作を示すフローチャートである。
【図９】外部の記録装置による再生動作を示すフローチャートである。
【図１０】第２の実施形態の記録装置の構成を示す図である。
【図１１】第２の実施形態の外部出力モードにおける動作を示すフローチャートである。
【図１２】記録媒体に記録される動画ファイルに付加されるファイル番号を示す図である。
【図１３】第３の実施形態の外部出力モードにおける動作を示すフローチャートである。
【発明を実施するための形態】
【００１１】
以下、本発明の実施形態について図面を参照しながら説明する。
【００１２】
（第１の実施形態）
図１は、本実施形態に係る記録装置１００の構成例を示すブロック図である。
【００１３】
図１において、撮像部１０１はレンズ、絞り、シャッタ等の光学系やＣＣＤ、ＣＭＯＳ等の撮像素子を有し、被写体を撮影し、動画データを出力する。入力部１０１は、動画データや音声データを取得して出力する。本実施形態では、撮像部１０１は、１画面が横４０９６画素×縦２１６０画素で、毎秒６０フレームの動画を出力することができる。カメラ信号処理部１０２は、撮像部１０１からの動画データに対して必要な処理を施す。メモリ１０３は、動画データやその他のデータを記憶する。記録装置１００の各ブロックは、メモリ１０３に対してアクセスすることにより、必要な処理を行う。また、メモリ１０３は、動画データの他に、ファイルシステムの情報や、管理情報など、各種の情報を記憶し、更に、制御部１１２による制御のためのワークメモリ等の役割を果たす。また、メモリ１０３は、データの記録時や再生時におけるバッファメモリの役割を果たす。
【００１４】
動画処理部１０４は、入力された動画データの画素数を変換する。また、動画処理部１０４は、記録時においては、記録すべき動画データをＭＰＥＧ等の公知の符号化により符号化して情報量を圧縮する。また、動画処理部１０４は、後述の様に、外部の記録装置に対して動画データを出力する場合、ユーザにより設定された出力形態に応じて動画データを変換する。また、動画処理部１０４は、再生時においては、再生された動画データを復号する。
【００１５】
記録媒体制御部１０５は、書き込み読み出し部１０６、１０７に対して、データの書き込み、読み出し指示を出力する。また、記録媒体制御部１０５は、書き込み読み出し部１０６、１０７に対し、記録すべきデータを出力し、また、書き込み読み出し部１０６、１０７より再生されたデータを受け取る。また、記録媒体制御部１０５は、書き込み読み出し部１０６、１０７より、記録媒体１０８、１０９が装着されているか否かの検出結果や、各記録媒体の記録残量の情報などを受け取る。
【００１６】
書き込み読み出し部１０６、１０７は、記録媒体１０８、１０９に対し、動画データや各種の情報を書き込み、また、読み出す。書き込み読み出し部１０６、１０７は、記録時においては、動画データを記録媒体１０８や１０９に記録する。また、書き込み読み出し部１０６、１０７は、再生時においては、記録媒体１０８や記録媒体１０９から動画データを読み出し、記録媒体制御部１０５に送る。本実施形態では、記録媒体１０８、１０９は互いに独立した、別の記録媒体として構成され、ハードディスク（ＨＤＤ）、フラッシュメモリカード等、ランダムアクセスの記録媒体である。
【００１７】
また、記録媒体制御部１０５は、記録媒体１０８、１０９に記録する動画データや、各種の情報を、ＦＡＴ（Ｆｉｌｅ  Ａｌｌｏｃａｔｉｏｎ  Ｔａｂｌｅ）等のファイルシステムに従い、ファイルとして管理する。また、記録媒体制御部１０５は、ＡＴＡ（ＡＴ  Ａｔｔａｃｈｍｅｎｔ）等の公知のインターフェイス（ＩＦ）を有し、制御部１１２における記録媒体ＩＦとの間でデータや各種のコマンドを通信する。また、不図示の装着、排出機構により、記録装置１００に対して記録媒体Ａ１０８、記録媒体Ｂ１０９を容易に装着、排出することができるように構成するが、記録装置１００各記録媒体１０８、１０９或いは何れか一方が内蔵される構成でもよい。表示制御部１１０は、表示部１１１に画像やその他の情報を表示する。表示部１１１は、液晶表示装置や有機ＥＬ装置等を含む。
【００１８】
制御部１１２は、操作部１１３からの入力に応じて記録装置１００の動作全体を制御する。制御部１１２はマイクロコンピュータやメモリ等を含み、不図示のメモリに記憶されたプログラムに従って記録装置１００を制御する。また、制御部１１２は、記録媒体制御部１０５との間でデータやコマンドを通信するための記録媒体インターフェイスを内蔵している。操作部１１３は、ユーザにより操作可能な各種のスイッチを含む。そして、操作部１１３は、ユーザによる各種の指示などを受理して制御部１１２へ通知する。また、操作部１１３は、電源スイッチや記録の開始、停止を指示するためのスイッチ、記録装置１００のモードを切り替えるためのスイッチ等を含む。
【００１９】
制御部１１２は、記録媒体１０８、１０９に対して動画ファイルの書き込み、読み出しを行う場合、記録媒体制御部１０５を制御して、記録媒体１０８、１０９から、ファイルシステムデータ（管理データ）を読み出してメモリ１０５に記憶する。このファイルシステムデータは、記録媒体１０８、１０９に記録されたデータのファイル名やファイルのサイズ、データの記録アドレスなどを示すデータであり、ファイルを管理するための管理情報である。そして、制御部１１２は、読み出したファイルシステムデータに従ってファイルの書き込み、読み出しを制御する。制御部１１２は、記録媒体１０８、１０９へのファイルの書き込みに応じて、メモリ１０５に記憶されたファイルシステムデータを更新する。そして、更新したファイルシステムデータを、記録媒体制御部１０５により記録媒体１０８、１０９に記録する。また、制御部１１２は、動画ファイルを記録する場合、各動画ファイルのファイル名（ファイル番号）を生成し、記録媒体制御部１０５に送る。制御部１１２は、新たに動画ファイルを記録する場合、記録先の記録媒体に記録された１以上の動画ファイルに付加された番号に基づいて、新たに記録する動画ファイルの番号を決める。制御部１１２は、記録先の記録媒体に記録された全ての動画ファイルの番号のうち、最大の番号に所定値、例えば１を加えた値を、新たに記録する動画ファイルの番号として付加する。
【００２０】
出力制御部１１４は、出力部１１５−１１８を複数の出力系統（チャンネル）として用いることにより、外部の記録装置に動画データを出力する。出力制御部１１４は、動画データを所定のフォーマットに適した形式に変換し、出力部１１５−１１８に出力する。本実施形態では、出力部１１５−１１８は、ＳＭＰＴＥ（ｔｈｅ  Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  ｅｎｇｉｎｅｅｒｓ）で規定されているＳＤＩ（Ｓｅｒｉａｌ  Ｄｉｇｉｔａｌ  Ｉｎｔｅｒｆａｃｅ）規格に準拠したフォーマットで動画データを出力する。そのため、出力制御部１１４は、ＳＤＩフォーマットに適した形式の動画データに変換して出力する。出力部１１５−１１８はそれぞれ、出力制御部１１４より受け取った動画データを出力する。出力部１１５−１１８は、ＢＮＣ（Ｂａｙｏｎｅｔ  Ｎｅｉｌｌ  Ｃｏｎｃｅｌｍａｎ）コネクタなどの接続部を有する。データバス１１９は各部の間でデータを受け渡す。
【００２１】
次に、記録装置１００における通常の記録処理について説明する。本実施形態では、記録する動画データの１フレームの画素数として、横４０９６画素×縦２１６０画素、横１９２０画素×縦１０８０画素、横７２０画素×縦４８０画素の三種類の何れかをユーザが選択することができる。本実施形態では、１フレームの画素数が横４０９６画素×縦２１６０画素の動画を４Ｋと呼び、横１９２０画素×縦１０８０画素の動画をＨＤと呼び、横７２０画素×縦４８０画素の動画をＳＤと呼ぶ。また、記録する動画データのフレームレート（単位時間あたりのフレーム数）として、５９．９４フレーム／秒（ｆｐｓ）、５０ｆｐｓ、２９．９７ｆｐｓ、２５ｆｐｓ、２４ｆｐｓ、２３．９８ｆｐｓの何れかをユーザが選択することができる。ユーザは、操作部１１３を操作することにより、記録する動画の画素数とフレームレートを選択する。なお、動画データの画素数やフレームレートをこれら以外の値とすることも可能である。
【００２２】
制御部１１２は、操作部１１３により電源が投入されると、各部を制御して、撮像部１０１により撮影された動画を表示部１１１に表示し、記録装置１００を記録待機状態とする。記録待機状態において、操作部１１３より記録開始の指示があった場合、制御部１１２は、撮像部１０１及びカメラ信号処理部１０２に対して、指定されたフレームレートの動画データを出力する様に指示する。カメラ信号処理部１０２は、指定されたフレームレートの４Ｋの動画データを出力し、メモリ１０３に記憶する。動画処理部１０４は、メモリ１０３に記憶された４Ｋの動画データを読み出し、動画データの画素数をユーザにより指定された画素数に変換する。そして、動画処理部１０４は、変換した動画データを符号化し、メモリ１０３に記憶する。
【００２３】
制御部１１２は、記録媒体制御部１０５に対し、動画の記録を開始するように指示する。記録媒体制御部１０５は、メモリ１０３より動画データを読み出し、記録媒体１０８、１０９のうちの一方に記録するために、書き込み読み出し部１０６、１０７の何れかに出力する。本実施形態では、ユーザは操作部１１３を操作することにより、記録媒体１０８、１０９のうちの一方を選択し、選択した方の記録媒体に動画データを記録する。また、記録媒体１０８、１０９の一方だけが装着されている場合、制御部１１２は、ユーザによる設定にかかわらず、装着されている方の記録媒体に動画データを記録するように記録媒体制御部１０５に指示する。
【００２４】
記録媒体制御部１０５は、制御部１１２からの指示に従い、メモリ１０３より読み出した動画データを書き込み読み出し部１０６、１０７の何れかに出力し、書き込みを指示する。書き込み読み出し部１０６、１０７は、受け取った動画データを記録媒体１０８、１０９に記録する。記録を開始した後、操作部１１３より記録停止の指示があった場合、制御部１１２は記録媒体制御部１０５に対して記録停止を指示し、記録媒体１０８、１０９に対する動画データの記録を停止する。また、制御部１１２は、動画処理部１０４に対し、画素数の変換、及び符号化処理を停止するように指示する。
【００２５】
次に、同時記録について説明する。本実施形態では、二つの記録媒体１０８、１０９に対して、同じ動画データを同時に記録する機能を持つ。この機能を同時記録機能という。
【００２６】
本実施形態では、記録媒体１０８、１０９がともに装着されている場合、ユーザは操作部１１３を操作することにより、同時記録を設定することができる。同時記録が設定された場合、制御部１１２は、記録開始の指示に応じて、記録媒体１０８、１０９の両方に動画データを記録するように記録媒体制御部１０５に指示する。記録媒体制御部１０５は、書き込み読み出し部１０６、１０７の両方に対し、動画データを出力し、記録開始を指示する。書き込み読み出し部１０６、１０７は、記録開始の指示に応じて、記録媒体１０８、１０９に動画データの記録を開始する。記録を開始した後、操作部１１３より記録停止の指示があった場合、制御部１１２は、記録媒体制御部１０５に記録停止を指示する。記録媒体制御部１０５は、書き込み読み出し部１０６、１０７に対し、記録媒体１０８、１０９への動画データの記録停止を指示する。書き込み読み出し部１０６、１０７は、記録停止の指示に応じて記録媒体１０８、１０９への記録を停止する。
【００２７】
次に、外部出力モードについて説明する。本実施形態では、外部出力モードにおいて、撮影された動画データを四つの出力部１１５−１１８より外部の記録装置に出力する。そして、ユーザによる記録開始、停止の指示に応じて、外部の記録装置に対して記録の開始、停止を指示することにより、出力された動画データを外部の記録装置により記録する。ユーザは操作部１１３を操作することにより、外部出力モードを設定することができる。また、外部出力モードを設定した場合、ユーザは、出力する動画データの画素数とフレームレートを設定することができる。
【００２８】
出力部１１５−１１８は、ＳＤＩ規格に従って動画データを出力する。図５は、ＳＭＰＴＥやＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎｓ  Ｓｅｃｔｏｒ）で規定されているＳＤＩの種類と最大伝送ビットート、及び使用するケーブルの数の関係を表している。ＳＤ−ＳＤＩは伝送ビットレートが２７０メガビット／秒（Ｍｂｐｓ）、ＨＤ−ＳＤＩは伝送ビットレートが１．４８５ギガビット／秒（Ｇｂｐｓ）、ＤｕａｌＬｉｎｋＳＤＩと３ＧＳＤＩは伝送ビットレートが２．９７０Ｇｂｐｓである。
【００２９】
図６は、外部出力モードにおいて出力する４Ｋの動画データの画素配列を示している。本実施形態では、４Ｋの動画データの画素配列を、撮像装置において従来から広く用いられているベイヤー配列としている。ベイヤー配列では、Ｒ（赤）とＧｒ（緑）を交互に配列したラインと、Ｇｂ（緑）とＢ（青）を交互に配列したラインの二つのラインを垂直方向に交互に配列している。そして、各画素を１０ビットのデータとして出力する。そのため、１フレームあたりのデータ量は、４０９６×２１６０画素×１０ビット＝８８．４７メガビットとなる。
【００３０】
出力する４Ｋの動画データのフレームレートが５９．９４ｆｐｓの場合、出力される動画データのビットレートは、８８．４７Ｍビット×５９．９４＝５．３０３ギガビット／秒となる。そのため、３ＧＳＤＩでこの動画データを出力する場合、２チャンネルに分割して出力する必要がある。また、ＤｕａｌＬｉｎｋＳＤＩでこの動画データを出力する場合、４チャンネルに分割して出力する必要がある。
【００３１】
また、出力する４Ｋの動画データのフレームレートが２９．９７ｆｐｓの場合、出力される動画データのビットレートは、８８．４７Ｍビット×２９．９７＝２．６５１ギガビット／秒となる。そのため、３ＧＳＤＩでこの動画データを出力する場合は１チャンネルにより出力することができる。また、ＤｕａｌＬｉｎｋＳＤＩでこの動画データを出力する場合、２チャンネルに分割して出力する必要がある。このように２チャンネル、或いは４チャンネルに分割されて出力された動画データを、外部の記録装置において受け取り、一つの動画データとして記録することができる。
【００３２】
出力する動画データと、各動画データを出力するために用いるチャンネル数の関係を図７に示す。前述のように、ユーザは操作部１１３を操作することにより、出力する動画データの画素数とフレームレートを設定することができる。また、ユーザは、操作部１１３を操作することにより、出力系統（ＣＨ）毎に、出力する動画データの種類（画素数、及びフレームレート）と、動画データを出力するために用いるＳＤＩの種類を設定することができる。また、ユーザは、操作部１１３を操作することにより、チャンネル毎に、動画データを出力するか否かを設定することができる。図１の出力部１１５−１１８は、チャンネル１−４に対応する。３ＧＳＤＩで４Ｋ、５９．９４ｆｐｓの動画を出力するためにはＳＤＩのチャンネル数は二つ必要である。そのため、例えば、本実施形態では、ユーザがＣＨ１を３ＧＳＤＩに設定し、出力する動画を４Ｋ、５９．９４ｆｐｓに設定した場合、ＣＨ２も自動的に３ＧＳＤＩに設定され、出力する動画が４Ｋ、５９．９４ｆｐｓに設定される。
【００３３】
また、本実施形態では、外部出力モードにおいて、動画データ（第１の動画データ）を出力しながら、同時に、出力されている動画データよりも画素数が少ない編集用の動画データ（第２の動画データ）を生成し、記録媒体１０８、１０９に記録する。４Ｋの動画データを外部に出力している場合、動画データの出力と並列に、出力中の動画データに対応したＨＤ、或いはＳＤの動画データを生成し、記録媒体１０８、１０９に記録する。また、外部出力モードにおいて、編集用の動画データを二つの記録媒体１０８、１０９に同時に記録することができる。ユーザは、操作部１１１を操作することにより、外部出力モードにおいて、編集用の動画データの同時記録を行うように設定することができる。編集用の動画データとして、ＳＤまたはＨＤのどちらを記録するかをユーザが選択できるようにしてもよい。また、本実施形態では、外部出力モードにおいて、４Ｋの動画データをＭＰＥＧにより符号化せずに出力するが、ＨＤ或いはＳＤの動画データを出力するようにしてもよい。また、外部出力モードにおいて、制御部１１２は、記録媒体１０８、１０９に記録される編集用の動画データの識別情報を生成する。そして、出力制御部１１４により、この識別情報を外部の記録装置に出力される動画データに多重して出力する。
【００３４】
図３は、外部出力モードに関連した記録装置１００の処理を示すフローチャートである。図３の処理は、制御部１１２が記録装置１００の各部を制御することにより実行される。また、記録装置１００が外部出力モードに設定されている状態において、図３の処理が繰り返し実行される。
【００３５】
記録待機状態において、外部出力モードが設定された場合、制御部１１２は、指定されたフレームレートの４Ｋの動画データを出力部１１５−１１８から出力するように各部を制御する（Ｓ３０１）。出力制御部１１４は、設定に応じて各動画データを対応するチャンネルから出力する。次に、制御部１１２は、操作部１１３により記録開始が指示されたか否かを判別する（Ｓ３０２）。
【００３６】
記録開始の指示があった場合、制御部１１２は、編集用の動画データの同時記録が設定されているか否かを判別する（Ｓ３０３）。同時記録が設定されていない場合、制御部１１２は、編集用の動画データの識別情報を生成する（Ｓ３１２）。本実施形態では、識別情報として、編集用の動画データが格納される動画ファイルのファイル番号を用いる。
【００３７】
また、同時記録が設定されていた場合、制御部１１２は、二つの記録媒体１０８、１０９に同時に記録される動画ファイルに対し、同じ識別情報を生成できるかどうか確認する（Ｓ３０４）。
【００３８】
図４は、制御部１１２により生成される、編集用の動画データの識別情報を示している。前述のように、本実施形態では、動画ファイルに付加されるファイル番号（ファイル名）を識別情報として用いる。例えば、図４（ａ）に示す例では、記録媒体Ａ１０８に記録済みの動画ファイルに付加された番号のうち最大値が１０で、記録媒体Ｂに記録済みの動画ファイルに付加された番号のうちの最大値が１５となっている。
【００３９】
そのため、通常の記録モードでは、記録媒体Ａ１０８に対して次に記録される動画ファイルには、１０に１を加えた１１がファイル番号として付加され、記録媒体Ｂ１０９に対して次に記録される動画ファイルには、１５に１を加えた１６がファイル番号として付加される。一方、外部出力モードにおいて、同時記録が設定されていた場合、制御部１１２は、各記録媒体に記録する動画ファイルに対し、同じ値をファイル番号として付加する。例えば、図４（ａ）では、記録媒体Ａ１０８と記録媒体Ｂに記録済みの動画ファイルに付加された番号のうち、最大値である１５に１を加えた１６がファイル番号として付加される。
【００４０】
このように、二つの記録媒体に記録される編集用の動画データに対し、同一の識別情報を記録可能である場合、制御部１１２は、前記のように、二つの記録媒体に記録される編集用の動画データのために同一の識別情報を生成する（Ｓ３０５）。
【００４１】
次に、制御部１１２は、編集用の動画データの識別情報を出力制御部１１４に送り、出力部１１５−１１８から出力されている動画データに対して多重するように指示する（Ｓ３０６）。また、制御部１１２は、出力部１１５−１１８から出力されている動画データに対して記録開始を指示するコマンドデータを多重するように出力制御部１１４に指示する（Ｓ３０７）。出力制御部１１４は、出力されている動画データに編集用の動画データの識別情報と、記録開始のコマンドデータを多重して各出力部１１５−１１８に出力する。本実施形態では、記録開始の指示の後に出力される全てのフレームの動画データに対して識別情報を多重する。
【００４２】
図５（ａ）は本実施形態において出力部１１５−１１８から出力される動画データの構成を示す図である。本実施形態では、ＳＤＩ規格に従って動画データを出力する。図５（ａ）は、１フレームの動画データを示している。１フレームの動画データは、水平ラインの終了を示すＥＡＶ、ライン長データＬＮ、エラーチェックＣＲＣＣ、補助データであるＨアンシラリ、水平ラインの開始を示すＳＡＶ、補助データであるＶアンシラリ、有効画像領域から構成される。本実施形態では、Ｖアンシラリにおける所定の水平ラインに編集用の動画データの識別情報と、記録開始、停止のコマンドデータとを多重して出力する。編集用の動画データの識別情報の多重位置の例を図５（ｂ）に示し、記録開始、停止コマンドの多重位置の例を図５（ｃ）に示す。
【００４３】
次に、制御部１１２は、編集用の動画データの記録を開始する（Ｓ３０８）。同時記録が設定されていた場合、制御部１１２は、編集用の動画データを二つの記録媒体１０８、１０９に同時に記録する。また、制御部１１２は、各記録媒体に記録する動画ファイルに対し、同じファイル番号を付加するように、記録媒体制御部１０５に指示する。次に、制御部１１２は、操作部１１３より記録停止の指示があったか否かを判別する（Ｓ３０９）。記録停止の指示があった場合、制御部１１２は、各出力部１１５−１１８から出力されている動画データに対し、記録停止を指示するコマンドデータを多重するように出力制御部１１４に指示する（Ｓ３１０）。出力制御部１１４は、出力されている動画データに記録停止のコマンドデータを多重して出力部１１５−１１８に出力する。また、制御部１１２は、出力制御部１１４に対し、編集用の動画データの識別情報の多重を停止するように指示する。出力制御部１１４は、外部に出力される動画データに対する、識別情報の多重を停止し、識別情報を多重する位置には無効データを付加して出力する。
【００４４】
次に、制御部１１２は、記録媒体制御部１０５に対し、編集用の動画データの記録を停止するように指示する（Ｓ３１１）。記録媒体制御部１０５は、編集用の動画データの記録を停止するように書き込み読み出し部１０６、１０７に指示する。
【００４５】
また、Ｓ３０４で、同一の識別情報を生成できない場合、制御部１１２は、二つの記録媒体１０８、１０９のうち、何れかの記録媒体に編集用の動画データを記録可能か否か判別する（Ｓ３１３）。
【００４６】
例えば、図４（ｂ）に示す例では、記録媒体Ｂに記録済みの動画ファイルに付加された番号のうちの最大値が９９９９となっている。本実施形態では、ファイル番号の上限を９９９９としている。従って、記録媒体Ｂ１０９には、最大値を超えるファイル番号を付加した動画ファイルを記録することができないので、記録媒体Ｂ１０９への新たな動画ファイルの記録が禁止される。一方、記録媒体Ａ１０８に記録済みの動画ファイルに付加された番号のうち最大値が１０である。そのため、次に記録される動画ファイルのファイル番号として１１が付加される。
【００４７】
図４（ｂ）に示すように、一方の記録媒体に対して動画ファイルを記録できる場合、制御部１１２は、同時記録が禁止され、一方の記録媒体、ここでは記録媒体１０８に編集用の動画データを記録する旨の情報を表示部１１１に表示する（Ｓ３１４）。そして、この、一方の記録媒体に記録された動画ファイルのファイル番号に基づき、前記のように編集用の動画データの識別情報を生成する。
【００４８】
また、図４（ｃ）に示すように、何れの記録媒体においても、ファイル番号の最大値が上限値であった場合、制御部１１２は、編集用の動画データの記録を禁止する。そして、制御部１１２は、編集用の動画データの記録ができない旨の警告情報を表示部１１２に表示する。
【００４９】
そして、制御部１１２は、出力部１１５−１１８から出力されている動画データに対して記録開始を指示するコマンドデータを多重するように出力制御部１１４に指示する（Ｓ３１７）。出力制御部１１４は、出力されている動画データに編集用の動画データの識別情報と、記録開始のコマンドデータを多重して各出力部１１５−１１８に出力する。
【００５０】
次に、制御部１１２は、操作部１１３より記録停止の指示があったか否かを判別する（Ｓ３１８）。記録停止の指示があった場合、制御部１１２は、各出力部１１５−１１８から出力されている動画データに対し、記録停止を指示するコマンドデータを多重するように出力制御部１１４に指示する（Ｓ３１９）。出力制御部１１４は、出力されている動画データに記録停止のコマンドデータを多重して出力部１１５−１１８に出力する。
【００５１】
次に、記録装置１００から出力された動画データを受け取って記録する外部の記録装置について説明する。図２は外部の記録装置２００の構成を示す図である。本実施形態では、記録装置１００と外部の記録装置２００とを、ＳＤＩに対応したケーブルにより接続することにより、記録装置１００から外部の記録装置２００に動画データを出力する。
【００５２】
図２において、入力部２０１−２０４はそれぞれ、ＳＤＩフォーマットに従って記録装置１００から出力された動画データを入力する。入力制御部２０５は、制御部２１１により設定された各入力部のＳＤＩフォーマットや動画データの種類に基づいて、入力された動画データを入力してメモリ２０６に出力する。
【００５３】
メモリ２０６は、動画データやその他のデータを記憶する。記録装置２００の各ブロックは、メモリ２０６に対してアクセスすることにより、必要な処理を行う。また、メモリ２０６は、動画データの他に、ファイルシステムの情報や、管理情報など、各種の情報を記憶し、更に、制御部２１１による制御のためのワークメモリ等の役割を果たす。また、メモリ２０６は、データの記録時や再生時におけるバッファメモリの役割を果たす。
【００５４】
動画処理部２０７は、動画データの画素数を変換する。また、動画処理部２０７は、記録された動画データが符号化されている場合、再生された動画データを復号する。また、動画処理部２０７は、再生された動画データを出力する場合、ユーザにより設定された出力形態に応じて動画データを変換する。
【００５５】
記録媒体制御部２０８は、書き込み読み出し部２０９に対して、データの書き込み、読み出し指示を出力する。また、記録媒体制御部２０８は、書き込み読み出し部２０９に対し、記録すべきデータを出力し、また、書き込み読み出し部２０９より再生されたデータを受け取る。また、記録媒体制御部２８は、書き込み読み出し部２０９より、記録媒体２１０の記録残量の情報などを受け取る。
【００５６】
書き込み読み出し部２０９は、記録媒体２１０に対し、動画データや各種の情報を書き込み、また、読み出す。書き込み読み出し部２０９は、記録時においては、動画データを記録媒体２１０に記録する。また、書き込み読み出し部２０９は、再生時においては、記録媒体２１０から動画データを読み出し、記録媒体制御部２０８に送る。本実施形態では、記録媒体２１０は、記録装置２００に内蔵されたハードディスク（ＨＤＤ）、フラッシュメモリカード等、ランダムアクセスの記録媒体である。記録媒体２１０は、不図示の装着、排出機構により、記録装置１００に対して容易に装着、排出することができるように構成してもよい。
【００５７】
また、記録媒体制御部２０８は、記録媒体２１０に記録する動画データや、各種の情報を、ＦＡＴ（Ｆｉｌｅ  Ａｌｌｏｃａｔｉｏｎ  Ｔａｂｌｅ）等のファイルシステムに従い、ファイルとして管理する。また、記録媒体制御部１０５は、ＡＴＡ（ＡＴ  Ａｔｔａｃｈｍｅｎｔ）等の公知のインターフェイス（ＩＦ）を有し、制御部２１１における記録媒体ＩＦとの間でデータや各種のコマンドを通信する。
【００５８】
制御部２１１は、操作部２１２からの入力に応じて記録装置２００の動作全体を制御する。制御部２１１はマイクロコンピュータやメモリ等を含み、不図示のメモリに記憶されたプログラムに従って記録装置２００を制御する。また、制御部２１１は、記録媒体制御部２０８との間でデータやコマンドを通信するための記録媒体インターフェイスを内蔵している。操作部２１２は、ユーザにより操作可能な各種のスイッチを含む。そして、操作部２１２は、ユーザによる各種の指示などを受理して制御部２１１へ通知する。また、操作部２１２は、電源スイッチや記録の開始、停止を指示するためのスイッチ、記録装置２００のモードを切り替えるためのスイッチ等を含む。
【００５９】
制御部２１１は、記録媒体２１０に対して動画ファイルの書き込み、読み出しを行う場合、記録媒体制御部２０８を制御して、記録媒体２１０から、ファイルシステムデータ（管理データ）を読み出してメモリ２０６に記憶する。このファイルシステムデータは、記録媒体２１０に記録されたデータのファイル名やファイルのサイズ、データの記録アドレスなどを示すデータであり、ファイルを管理するための管理情報である。そして、制御部２１１は、読み出したファイルシステムデータに従ってファイルの書き込み、読み出しを制御する。制御部２１１は、記録媒体２１０へのファイルの書き込みに応じて、メモリ２０６に記憶されたファイルシステムデータを更新する。そして、更新したファイルシステムデータを、記録媒体制御部２０８により記録媒体２１０に記録する。表示制御部２１３は、表示部２１４に画像やその他の情報を表示する。表示部２１４は、液晶表示装置や有機ＥＬ装置等を含む。出力部２１５は、入力された動画データや再生された動画データを外部に出力する。バス２１６は各部の間でデータやコマンドを送受信する。
【００６０】
次に、記録装置２００において、入力部２０１−２０４により入力された動画データを記録する際の処理を説明する。図８は、記録装置２００による記録処理を示すフローチャートである。図８の処理は、制御部２１１が各部を制御することにより実行される。
【００６１】
ユーザは操作部１１３を操作することにより、各入力部２０１−２０４より入力される動画データの画素数やフレームレート、及び、入力部２０１−２０４におけるＳＤＩフォーマットを設定することができる。ユーザは、記録装置１００の出力部１１５−１１８に設定した動画データの画素数やフレームレート、及び、ＳＤＩフォーマットに合わせて、各入力部２０１−２０４を設定することにより、記録装置１００から出力された動画データを入力して記録することができる。
【００６２】
ユーザは、記録装置２００の電源を投入後、記録装置１００の出力部１１５−１１８と入力部２０１−２０４とをＳＤＩフォーマットに従うケーブルで接続し、前記の通り各入力部２０１−２０４により入力される動画データやＳＤＩフォーマットを設定する。そして、記録装置１００が外部出力モードに設定されると、記録装置１００より各入力部２０１−２０４に動画データが入力される（Ｓ８０１）。
【００６３】
この記録待機状態において、制御部２１１は、入力部２０１−２０４より入力されている動画データの各フレームのＶアンシラリをチェックし、記録開始のコマンドが多重されているか否かを判別する（Ｓ８０２）。記録開始のコマンドがＶアンシラリに多重されていた場合、制御部２１１は、入力部２０１−２０４から入力されている動画データを記録するように、記録媒体制御部２０８に指示する（Ｓ８０３）。記録媒体制御部２０８は、書き込み読み出し部２０９を制御して、入力された動画データを記録媒体２１０に記録する。このとき、本実施形態では、入力部２０１−２０４から入力された複数チャンネルの動画データを一つにまとめて記録する。また、入力された動画データのサイズが大きいため、扱うことが困難である場合には、入力された動画データの各フレームを一つのファイルとして記録することも可能である。即ち、図５（ａ）に示した１フレームのデータを含む一つのファイルとして記録する。この場合、制御部２１１は、記録開始のコマンドを検出してから、記録停止のコマンドを検出するまでの間に記録された一つのクリップの各ファイルを一つの動画として管理するための情報を管理情報に付加して記録する。
【００６４】
次に、制御部２１１は、入力された動画データのＶアンシラリに編集用の動画データの識別情報が多重されているか否かを判別する（Ｓ８０４）。識別情報が多重されていた場合、制御部２１１は、この識別情報を記録媒体制御部２０８に送る。そして、制御部１１２は、識別情報を管理情報に格納し、記録された動画データに対応づけて記録するように、記録媒体制御部２０８に指示する（Ｓ８０５）。記録媒体制御部２０８は、識別情報を管理情報に格納し、動画データと対応づけて記録する。前述の様に、動画データの各フレームを一つのファイルとして記録する場合、記録媒体制御部２０８は、それぞれのファイルに対応づけて、識別情報を記録する。また、各フレームを一つのファイルとして記録する場合、各フレームのアンシラリデータもそのまま記録されるので、管理情報に識別情報を格納しないようにしてもよい。
【００６５】
このように動画データの記録を開始した後、制御部２１１は、入力部２０１−２０４から入力されている動画データのＶアンシラリに記録停止のコマンドが多重されているか否かを判別する（Ｓ８０６）。記録停止のコマンドが多重されていない場合にはそのまま動画データの記録を継続する。また、記録停止のコマンドが多重されていた場合、制御部２１１は、動画の記録を停止するように記録媒体制御部２０８に指示する（Ｓ８０７）。記録媒体制御部２０８は、動画データの記録を停止する。
【００６６】
このように、外部記録装置２００は、記録装置１００から記録開始のコマンドを受ける度に、入力された動画データを記録媒体２１０に記録する。なお、一つのクリップを構成する各フレームを独立したファイルとして記録する場合、一つのクリップを構成する全てのファイルを一つのフォルダに格納することにより管理するようにしてもよい。こうすることで、一つのフォルダには同じクリップの動画が格納される。その場合、記録媒体制御部２０８は、新たなクリップの記録開始の指示の度に、新たにフォルダを作成し、動画ファイルを格納する。
【００６７】
次に、記録装置２００における再生時の処理を説明する。図９は再生処理を示すフローチャートである。ユーザが操作部２１２を操作して、再生開始を指示すると、制御部２１１は記録媒体制御部２０８に対し、動画を再生するように指示する。記録媒体制御部２０８は、書き込み読みだし部２０９を制御して、記録媒体２１０に記録された管理情報を読み出す。そして、この管理情報に基づいて記録媒体２１０から動画データを読み出して、メモリ２０６に記憶する（Ｓ９０１）。また、記録媒体制御部２０８は、読み出した管理情報を制御部２１１に送る。表示制御部２１３は、メモリ２０６から動画データを読み出し、動画データの各フレームの画素数を表示部２１４の表示画素数に応じて変換し、表示部２１４に表示する。
【００６８】
次に、制御部２１１は、再生された管理情報から編集用の動画データの識別情報を検出する（Ｓ９０２）。編集用の動画データの識別情報が含まれていた場合、制御部２１１は、識別情報、ここではファイル名を表示制御部２１３に送る。表示制御部２１３は、再生された動画に、編集用の動画データのファイル名の情報を多重して表示部２１４に表示する（Ｓ９０４）。また、表示制御部２１３は、この他必要な情報を動画に多重して表示する。
【００６９】
その後、操作部２１３より再生停止の指示があった場合（Ｓ９０４）、制御部２１１は、記録媒体制御部２０８に対し再生停止を指示し、動画の再生を停止する（Ｓ９０５）。
【００７０】
このように、本実施形態では、外部出力モードにおいて、同時に記録される複数の編集用の動画データに対して付加されたファイル名を識別情報として外部に出力される動画に多重して出力する。そのため、外部の記録装置２００において、記録した動画像を再生する際に、この動画像の記録時に同時に記録媒体１０８、１０９に記録された、対応する編集用の動画データを容易に認識することができる。
【００７１】
また、本実施形態では、二つの記録媒体に同時に記録された編集用の動画データに対し、同じファイル名を付加し、このファイル名の情報を外部に出力される動画に多重して出力する。
【００７２】
そのため、ユーザは、記録媒体１０８と１０９に記録された二つの編集用の動画データのうち、何れの動画データを使って編集作業を行った場合でも、編集結果を反映させるための動画を容易に見つけることが可能となる。
【００７３】
なお、本実施形態では、一方の記録媒体に記録された動画ファイルのファイル番号が決められた上限値に達していた場合、他方の記録媒体に編集用の動画データを記録していた。これ以外にも、何れかの記録媒体に記録されている動画ファイルのファイル番号が上限値に達していた場合には、編集用の動画データの記録を禁止するようにしてもよい。
【００７４】
（第２の実施形態）
次に、第２の実施形態を説明する。図１０は第２の実施形態における記録装置１０００の構成を示す図である。図１０の記録装置１０００において、図１の構成と同一の構成については同一の番号を付加し、詳細な説明は省略する。図１０の記録装置１０００では、図１の構成に対し、書き込み読み出し部１００１と、記録媒体Ｃ１００２が追加されている。そして、記録装置１０００では、これら三つの記録媒体１０８、１０９、１００２に対し、同時に動画を記録することができる。また、外部出力モードにおいて、これら三つの記録媒体１０８、１０９、１００２に対し、同時に編集用の動画データを記録することができる。ユーザは、操作部１１３を操作することにより、外部出力モードにおいて編集用の動画データを記録する記録媒体を選択することができる。即ち、外部出力モードにおいて、三つの記録媒体の何れか二つを選択し、これら選択した二つの記録媒体に編集用の動画データを同時に記録させることができる。
【００７５】
次に、記録装置１０００における外部出力モードの処理を説明する。図１１は、外部出力モードの処理を示すフローチャートである。図１１において、図３と共通する処理については同一番号を付加している。
【００７６】
記録待機状態において、外部出力モードが設定された場合、制御部１１２は、指定されたフレームレートの４Ｋの動画データを出力部１１５−１１８から出力するように各部を制御する（Ｓ３０１）。出力制御部１１４は、設定に応じて各動画データを対応するチャンネルから出力する。次に、制御部１１２は、操作部１１３により記録開始が指示されたか否かを判別する（Ｓ３０２）。
【００７７】
記録開始の指示があった場合、制御部１１２は、編集用の動画データの同時記録が設定されているか否かを判別する（Ｓ３０３）。同時記録が設定されていない場合、制御部１１２は、編集用の動画データの識別情報を生成する（Ｓ３１２）。
【００７８】
また、同時記録が設定されていた場合、制御部１１２は、同時に記録する編集用の動画データの数を検出する（Ｓ１１０１）。同時に記録する編集用の動画データの数が３であった場合、制御部１１２は、三つの記録媒体１０８、１０９、１００２に同時に記録される動画ファイルに対し、同じ識別情報を生成できるかどうか確認する（Ｓ１１０２）。
【００７９】
図１２は、制御部１１２により生成される、編集用の動画データの識別情報を示している。例えば、図１２（ａ）に示す例では、記録媒体Ａ１０８、記録媒体Ｂ１０９、記録媒体Ｃ１００２に記録済みの動画ファイルに付加された番号のうちの最大値はそれぞれ、１０、１５、２０となっている。
【００８０】
そのため、通常の記録モードでは、記録媒体Ａ１０８、記録媒体Ｂ１０９、記録媒体Ｃ１００２に対して次に記録される動画ファイルには、それぞれ、１１、１６、２１がファイル番号として付加される。一方、外部出力モードにおいて、同時記録する編集用動画の数が３であった場合、記録媒体Ａ１０８、記録媒体Ｂ１０９、記録媒体Ｃ１００２に記録済みの動画ファイルの番号のうちの最大値である２０に１を加えた２１がファイル番号として付加される。
【００８１】
このように、三つの記録媒体に記録される編集用の動画データに対し、同一の識別情報を記録可能である場合、制御部１１２は、三つの記録媒体に記録される編集用の動画データのために同一の識別情報を生成する（Ｓ１１０３）。
【００８２】
また、Ｓ１１０１で同時に記録する編集用の動画データの数が２であるか、Ｓ１１０２で三つの記録媒体に対して同じ識別情報を生成できない場合、制御部１１２は、二つの記録媒体に対し、同じ識別情報を生成できるか否かを判別する（Ｓ３０４）。
【００８３】
例えば、図１２（ｂ）に示す例では、記録媒体Ｃ１００２に記録済みの動画ファイルに付加された番号のうちの最大値が９９９９となっている。従って、記録媒体Ｃ１００２には、最大値を超えるファイル番号を付加した動画ファイルを記録することができないので、記録媒体Ｃ１００２への新たな動画ファイルの記録が禁止される。
【００８４】
Ｓ１１０２で、三つの記録媒体に対して同じ識別情報を生成できなかった場合は、三つの記録媒体の何れか二つの記録媒体に対して同じ識別情報を生成できるか否かを判別する。図１２（ｂ）では、記録媒体Ａと記録媒体Ｂのファイル番号の最大値は上限値に達していないため、これら二つの記録媒体に記録される動画ファイルのファイル番号として、同じファイル番号である１６を生成する。
【００８５】
また、同時に記録する編集用の動画データの数が２であった場合には、ユーザが選択した二つの記録媒体に対し、同じ識別情報を生成できるか否かを判別する。図１２（ｂ）において、記録媒体Ａと記録媒体Ｂが選択されていた場合は、これら二つの記録媒体に記録される動画ファイルのファイル番号として、同じファイル番号である１６を生成する。また、記録媒体ＡとＣ、或いは、記録媒体ＢとＣが選択されていた場合、記録媒体Ｃには、最大値を超えるファイル番号を付加した動画ファイルを記録することができないので、同じ識別情報を生成することができない。
【００８６】
Ｓ３０４において、二つの記録媒体に記録される動画ファイルに対し、同じファイル番号を付加することができると判断した場合、制御部１１２は、前述のように、二つの記録媒体に対して同じファイル番号を生成する（Ｓ３０５）。そして、制御部１１２は、同時に記録される編集用の動画データの数が二つになったことを示す情報を表示部１１２に表示する（Ｓ１１０４）。
【００８７】
また、Ｓ３０４で、同一の識別情報を生成できない場合、制御部１１２は、三つの記録媒体１０８、１０９、１００２のうち、何れかの記録媒体に編集用の動画データを記録可能か否か判別する（Ｓ３１３）。例えば、三つの記録媒体のうち、二つの記録媒体に記録された動画ファイルのファイル番号の最大値が上限値であった場合、残りの一つの記録媒体に編集用の動画データを記録する。この場合、制御部１１２は、同時記録が禁止され、一つの記録媒体、ここでは記録媒体１０８に編集用の動画データを記録する旨の情報を表示部１１１に表示する（Ｓ３１４）。そして、この、一方の記録媒体に記録された動画ファイルのファイル番号に基づき、前記のように編集用の動画データの識別情報を生成する（Ｓ３１５）。
【００８８】
このように、一つ以上の編集用の動画データを記録する場合、制御部１１２は、編集用の動画データの識別情報を出力制御部１１４に送り、出力部１１５−１１８から出力されている動画データに対して多重するように指示する（Ｓ３０６）。また、制御部１１２は、出力部１１５−１１８から出力されている動画データに対して記録開始を指示するコマンドデータを多重するように出力制御部１１４に指示する（Ｓ３０７）。出力制御部１１４は、出力されている動画データに編集用の動画データの識別情報と、記録開始のコマンドデータを多重して各出力部１１５−１１８に出力する。
【００８９】
次に、制御部１１２は、編集用の動画データの記録を開始する（Ｓ３０８）。同時記録が設定されていた場合、制御部１１２は、編集用の動画データを選択された記録媒体に同時に記録する。また、制御部１１２は、各記録媒体に記録する動画ファイルに対し、同じファイル番号を付加するように、記録媒体制御部１０５に指示する。次に、制御部１１２は、操作部１１３より記録停止の指示があったか否かを判別する（Ｓ３０９）。記録停止の指示があった場合、制御部１１２は、各出力部１１５−１１８から出力されている動画データに対し、記録停止を指示するコマンドデータを多重するように出力制御部１１４に指示する（Ｓ３１０）。出力制御部１１４は、出力されている動画データに記録停止のコマンドデータを多重して出力部１１５−１１８に出力する。
【００９０】
次に、制御部１１２は、記録媒体制御部１０５に対し、編集用の動画データの記録を停止するように指示する（Ｓ３１１）。記録媒体制御部１０５は、編集用の動画データの記録を停止するように書き込み読み出し部１０６、１０７に指示する。
【００９１】
また、図４（ｃ）に示すように、何れの記録媒体においても、ファイル番号の最大値が上限値であった場合、制御部１１２は、編集用の動画データの記録を禁止する。そのため、このような場合、Ｓ３１３では、編集用の動画データが記録できないと判断され、制御部１１２は、編集用の動画データの記録ができない旨の警告情報を表示部１１２に表示する。
【００９２】
そして、制御部１１２は、出力部１１５−１１８から出力されている動画データに対して記録開始を指示するコマンドデータを多重するように出力制御部１１４に指示する（Ｓ３１７）。出力制御部１１４は、出力されている動画データに編集用の動画データの識別情報と、記録開始のコマンドデータを多重して各出力部１１５−１１８に出力する。
【００９３】
次に、制御部１１２は、操作部１１３より記録停止の指示があったか否かを判別する（Ｓ３１８）。記録停止の指示があった場合、制御部１１２は、各出力部１１５−１１８から出力されている動画データに対し、記録停止を指示するコマンドデータを多重するように出力制御部１１４に指示する（Ｓ３１９）。出力制御部１１４は、出力されている動画データに記録停止のコマンドデータを多重して出力部１１５−１１８に出力する。
【００９４】
このように、本実施形態においても、外部出力モードにおいて、同時に記録される三つの編集用の動画データに対して同じファイル番号を付加し、このファイル番号を外部に出力される動画に多重して出力する。そのため、外部の記録装置２００において、記録した動画像を再生する際に、この動画像の記録時に同時に記録媒体１０８、１０９に記録された、対応する編集用の動画データのファイル名を容易に認識することができる。
【００９５】
なお、第２の実施形態では、記録装置１０００が三つの記録媒体に動画データを記録する構成であったが、これ以上の記録媒体に動画データを同時に記録可能な構成としてもよい。また、ＳＤＩフォーマット以外のフォーマットに従って動画データを出力することも可能である。また、外部に出力される動画データよりも画素数が少ない動画データを編集用の動画データとして記録したが、外部に出力する動画データよりも情報量が少ない動画データを編集用の動画データとすることも可能である。また、本実施形態では、四つの出力部を備え、これら４チャンネルの出力部を使って動画データを出力したが、チャンネル数はこれに限られず、複数のチャンネルを用いることができる。
【００９６】
（第３の実施形態）
第１、第２の実施形態では、編集用の動画データの識別情報として、ファイル番号を用いた。本実施形態では、ファイル番号ではない、固有の識別情報を生成し、編集用の動画データに付加して記録すると共に、外部に出力される動画データに多重して出力する。また、本実施形態では、編集用の動画データの記録中に、記録中の動画ファイルのサイズがファイルシステムにより規定された上限のサイズに基づいて決められた分割閾値に達した場合、記録中のファイルをクローズする。そして、新たに編集用の動画データのファイルを作成し、記録を続ける。
【００９７】
本実施形態における記録装置１００の構成、及び外部記録装置２００の構成は図１、図２と同様であり、また、や記録再生に関する機能は第１の実施形態と同様である。
【００９８】
以下、本実施形態における外部出力モードの処理を説明する。図１３は、第３の実施形態における外部出力モードに関連した記録装置１００の処理を示すフローチャートである。
【００９９】
記録待機状態において、外部出力モードが設定された場合、制御部１１２は、指定されたフレームレートの４Ｋの動画データを出力部１１５−１１８から出力するように各部を制御する（Ｓ１３０１）。出力制御部１１４は、設定に応じて各動画データを対応するチャンネルから出力する。次に、制御部１１２は、操作部１１３により記録開始が指示されたか否かを判別する（Ｓ１３０２）。
【０１００】
記録開始の指示があった場合、制御部１１２は、編集用の動画データの識別情報を生成する（Ｓ１３０３）。本実施形態では、識別情報として、記録開始の指示の度に所定値ずつ増加する値を用いる。例えば、前回の記録時に生成した識別情報の値が１であった場合、これよりも所定値、例えば１だけ増加した値２を今回の記録時に生成する。また、これ以外にも、例えば、記録装置１００の固体番号と記録開始時の時、分、秒などを組み合わせることにより識別情報を生成することも可能である。また、本実施形態では、記録開始の指示から記録停止の指示までに記録される一つのクリップの編集用の動画データに対し、共通の識別情報を付加する。
【０１０１】
次に、制御部１１２は、編集用の動画データの識別情報を出力制御部１１４に送り、出力部１１５−１１８から出力されている動画データに対して多重するように指示する（Ｓ１３０４）。また、制御部１１２は、出力部１１５−１１８から出力されている動画データに対して記録開始を指示するコマンドデータを多重するように出力制御部１１４に指示する（Ｓ１３０５）。出力制御部１１４は、出力されている動画データに編集用の動画データの識別情報と、記録開始のコマンドデータを多重して各出力部１１５−１１８に出力する。本実施形態では、記録開始の指示の後に出力される全てのフレームの動画データに対して識別情報を多重する。
【０１０２】
次に、制御部１１２は、記録媒体制御部１０５に対し、編集用の動画データの記録を開始するように指示する。記録媒体制御部１０５は、記録開始の指示があった場合、記録媒体１０８、１０９に新たに動画ファイルを作成し（Ｓ１３０６）、編集用の動画データの記録を開始する（Ｓ１３０７）。本実施形態では、各記録媒体１０８、１０９に対して記録可能なデータレートは、編集用の動画データのデータレートよりも大きい。そのため、符号化された動画データを一旦メモリ１０３に記憶しておく。記録媒体制御部１０５は、メモリ１０３に格納された未記録の動画データのデータ量が所定量に達した場合にメモリ１０３から編集用の動画データを読み出して記録する。また、メモリ１０３に記憶された未記録の動画データのデータ量が所定値まで減少したときに記録を停止する。また、記録媒体制御部１０５は、一回の書き込みが完了すると、記録中の動画ファイルのファイルサイズの情報を制御部１１２に送る。
【０１０３】
同時記録が設定されていた場合、制御部１１２は、編集用の動画データを二つの記録媒体１０８、１０９に同時に記録する。また、制御部１１２は、各記録媒体に記録する動画ファイルに対し、Ｓ１３０３で生成した識別情報を付加して記録する。
【０１０４】
次に、制御部１１２は、操作部１１３より記録停止の指示があったか否かを判別する（Ｓ１３０８）。記録停止の指示があった場合、制御部１１２は、各出力部１１５−１１８から出力されている動画データに対し、記録停止を指示するコマンドデータを多重するように出力制御部１１４に指示する（Ｓ１３０９）。出力制御部１１４は、出力されている動画データに記録停止のコマンドデータを多重して出力部１１５−１１８に出力する。また、制御部１１２は、出力制御部１１４に対し、編集用の動画データの識別情報の多重を停止するように指示する。出力制御部１１４は、外部に出力される動画データに対する、識別情報の多重を停止し、識別情報を多重する位置には無効データを付加して出力する。
【０１０５】
次に、制御部１１２は、記録媒体制御部１０５に対し、編集用の動画データの記録を停止するように指示する。記録媒体制御部１０５は、記録中の動画ファイルをクローズし、編集用の動画データの記録を停止する（Ｓ１３１２）。
【０１０６】
また、Ｓ１３０８で、記録停止の指示がない場合、制御部１１２は、記録中の動画ファイルのサイズが、ファイル分割の閾値に達したか否かを判別する（Ｓ１３１１）。記録中の動画ファイルのサイズが閾値に達していない場合はそのまま記録を続ける。また、記録中の動画ファイルのサイズが閾値に達していた場合、制御部１１２は、記録媒体制御部１０５に対し、記録中のファイルをクローズし、新たに動画ファイルを作成するように指示する（Ｓ１３１２）。記録媒体制御部１０５は、記録媒体１０８、１０９に記録中の動画ファイルをクローズする（Ｓ１３１２）。そして、Ｓ１３０６に戻って、記録媒体制御部１０５は、新たに動画ファイルを作成し、編集用の動画データの記録を継続する。このとき、新たに作成されるファイルに対しても、Ｓ１３０３で生成された識別情報が付加される。
【０１０７】
この様に、本実施形態によれば、外部出力モードにおいて、同時に記録される１以上の編集用の動画データに対して付加された識別情報を外部に出力される動画に多重して出力する。そのため、外部の記録装置２００において、記録した動画像を再生する際に、この動画像の記録時に同時に記録媒体１０８、１０９に記録された、対応する編集用の動画データを容易に認識することができる。
【０１０８】
また、本実施形態では、記録開始から記録停止までに記録される一つのクリップの複数のファイルに対し、共通の識別情報を付加している。そのため、一回の記録中に複数のファイルが作成された場合にも、外部の記録装置に記録された動画に対応した、同じクリップの複数の編集用動画データのファイルを容易に認識することができる。
【０１０９】
前述した本発明の実施形態に係わる記録装置を構成する各手段並び制御方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【０１１０】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【０１１１】
なお、本発明は、前述した実施形態の機能を実現するソフトウエアのプログラムを、システムまたは装置に直接、または遠隔から供給する場合も含む。そして、そのシステムまたは装置のコンピュータが前記供給されたプログラムコードを読み出して実行することによっても達成される場合を含む。
【０１１２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【０１１３】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【０１１４】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【０１１５】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１１６】
また、その他の方法として、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１１７】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【０１１８】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【０１１９】
また、各実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図１】
2014036402.tif 000003
【図２】
2014036402.tif 000004
【図３】
2014036402.tif 000005
【図４】
2014036402.tif 000006
【図５】
2014036402.tif 000007
【図６】
2014036402.tif 000008
【図７】
2014036402.tif 000009
【図８】
2014036402.tif 000010
【図９】
2014036402.tif 000011
【図１０】
2014036402.tif 000012
【図１１】
2014036402.tif 000013
【図１２】
2014036402.tif 000014
【図１３】
2014036402.tif 000015
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
第１の動画データと、前記第１の動画データに対応し前記第１の動画データより情報量の少ない第２の動画データとを生成する生成手段と、
前記生成手段で生成された動画データを出力する出力手段と、
前記生成手段で生成された動画データを記録媒体に記録する記録手段と、
前記第２の動画データを識別するための識別情報を生成し、前記識別情報を、前記第２の動画データに付加して前記記録媒体に記録するように前記記録手段を制御し、前記第１の動画データに対応する前記第２の動画データの前記識別情報を、前記第１の動画データに付加して出力するように前記出力手段を制御する制御手段とを有する記録装置。
【請求項２】
前記記録手段は、前記第２の動画データを動画ファイルとして前記記録媒体に記録し、前記制御手段は、前記記録媒体に記録中の前記第２の動画データのサイズが閾値に達した場合、記録中の動画ファイルをクローズして新たな動画ファイルを作成し、前記第２の動画データの記録を続け、前記第２のデータの記録開始から記録停止までの間に生成される複数の動画ファイルそれぞれに前記識別情報を付加するように前記記録手段を制御することを特徴とする請求項１に記載の記録装置。
【請求項３】
前記第２のデータの記録開始から記録停止までの間に生成される複数の動画ファイルそれぞれについて同じ値の前記識別情報を生成することを特徴とする請求項２に記載の記録装置。
【請求項４】
前記制御手段は、前記出力手段により出力される前記第１の動画データを構成する複数のフレームそれぞれに対して前記識別情報を付加するように前記出力手段を制御する請求項１から３の何れか１項に記載の記録装置。
【請求項５】
前記制御手段は、動画データの記録開始の指示に応じて、前記記録手段による前記第２の動画データの記録を開始するとともに、前記識別情報を生成し、前記識別情報を前記第１の動画データに付加して出力するように前記出力手段を制御することを特徴とする請求項４に記載の記録装置。
【請求項６】
前記記録手段は、前記第２の動画データを動画ファイルとして前記記録媒体に記録し、前記制御手段は、前記動画ファイルのファイル名を前記識別情報として生成することを特徴とする請求項１に記載の記録装置。
【請求項７】
第１の動画データと、前記第１の動画データに対応し前記第１の動画データより情報量の少ない第２の動画データとを生成する生成ステップと、
前記生成された動画データを出力する出力ステップと、
前記生成された動画データを記録媒体に記録する記録ステップとを有し、
前記第２の動画データを識別するための識別情報を生成し、前記識別情報を前記第２の動画データに付加して前記記録媒体に記録するとともに、前記第１の動画データに対応する前記第２の動画データの前記識別情報を、前記第１の動画データに付加して出力することを特徴とする記録方法。
【手続補正３】
【補正対象書類名】明細書
【補正対象項目名】０００１
【補正方法】変更
【補正の内容】
【０００１】
本発明は記録装置及び記録方法に関する。
【手続補正４】
【補正対象書類名】明細書
【補正対象項目名】０００８
【補正方法】変更
【補正の内容】
【０００８】
本発明の記録装置は、第１の動画データと、前記第１の動画データに対応し前記第１の動画データより情報量の少ない第２の動画データとを生成する生成手段と、前記生成手段で生成された動画データを出力する出力手段と、前記生成手段で生成された動画データを記録媒体に記録する記録手段と、前記第２の動画データを識別するための識別情報を生成し、前記識別情報を、前記第２の動画データに付加して前記記録媒体に記録するように前記記録手段を制御し、前記第１の動画データに対応する前記第２の動画データの前記識別情報を、前記第１の動画データに付加して出力するように前記出力手段を制御する制御手段とを有する。